(57)【要約】  円形または多角形の断面を備えた、下方向に閉鎖される筒状本体（１０）を提示するタイプの缶用の閉鎖装置において、上方縁部（１２）が設けられた周囲側壁（１１）、ならびに、筒状本体（１０）に関して内部にあり、缶の上方開口部（１４）と、密閉要素（２０）を着座させるための着座部（１５）とを画定するために、周囲側壁（１１）に密閉して結合されている構造的環状部（１３）とを備える閉鎖装置であって、構造的環状部（１３）は、周囲側壁（１１）の上方端部（１２）に対して軸線方向後ろに離隔された、筒状本体（１０）の中に径方向に突出している周囲側壁（１１）の凹部によって形成された円周リブ（１６）によって画定される。
2008519737.tif 000002
【特許請求の範囲】
【請求項１】
下方向に閉鎖される筒状本体（１０）を提示するタイプの缶用の閉鎖装置において、上方縁部（１２）が設けられた周囲側壁（１１）、ならびに、筒状本体（１０）に関して内部にあり、缶の上方開口部（１４）と、密閉要素（２０）を着座させるための着座部（１５）とを画定するために、周囲側壁（１１）に密閉して結合されている構造的環状部（１３）を備える閉鎖装置であって、
構造的環状部（１３）が、周囲側壁（１１）の上方端部（１２）に対して軸線方向後ろに離隔された、筒状本体（１０）の中に径方向に突出している周囲側壁（１１）の凹部によって形成された円周リブ（１６）によって画定されることを特徴とする、閉鎖装置。
【請求項２】
円周リブ（１６）が、平面である、缶の軸線に対して一般に直角である上方面（１６ａ）を提示し、密閉要素（２０）が、円周リブ（１６）の上方面（１６ａ）に取り外し可能に接着されているフィルム（２１）によって画定されることを特徴とする、請求項１に記載の閉鎖装置。
【請求項３】
円周リブ（１６）が、概ね水平方向の「Ｕ」形態断面を有し、その側方脚部が相互と平行であることを特徴とする、請求項２に記載の閉鎖装置。
【請求項４】
円周リブ（１６）が、丸みの付いた頂部を備えた、また、缶の軸線方向に対して垂直に配設される円周リブ（１６）の上方面（１６ａ）を画定している側方脚部を備えた、概ね水平方向の「Ｖ」形態断面を有することを特徴とする、請求項２に記載の閉鎖装置。
【請求項５】
覆蓋（３０）であって、円周リブ（１６）のレベルよりも上で、筒状本体（１０）の内部に収容される中央陥凹部分（３１）によって、また缶の筒状本体（１０）の周囲側壁（１１）の上方縁部（１２）の上にしっかりと嵌め合わされるように寸法決めされている周囲部分（３２）によって、単一部片に形成された覆蓋（３０）を備えることを特徴とする、請求項２に記載の閉鎖装置。
【請求項６】
周囲側壁（１１）の上方縁部（１２）が、缶の筒状本体（１０）の周囲側壁（１１）の上方縁部（１２）に外部から組み込まれる筒状リブ（１７）を画定するように、外向き、下向き、および内向きに屈曲されていることを特徴とする、請求項５に記載の閉鎖装置。
【請求項７】
筒状リブ（１７）が円形の断面を有することを特徴とする、請求項６に記載の閉鎖装置。
【請求項８】
覆蓋（３０）の周囲部分（３２）が、円周リブ（１６）と上方縁部（１２）との間に画定された周囲側壁（１１）の一部分の内側面に対して着座される径方向内部壁（３２ａ）と、前記上方縁部（１２）に着座される基部壁（３２ｂ）と、筒状リブ（１７）に対して着座される径方向外部壁（３２ｃ）とを有する、概ね反転された「Ｕ」の形態の断面を提示することを特徴とする、請求項６に記載の閉鎖装置。
【請求項９】
覆蓋（３０）の周囲部分（３２）の径方向外部壁（３２ｃ）が、外部の筒状湾曲部（３３）を組み込む下方自由端縁部を有することを特徴とする、請求項８に記載の閉鎖装置。
【請求項１０】
円周リブ（１６）が、凸状円弧を画定するように構成された内側縁部（１６ｂ）を有し、密閉要素（２０）が、基部壁（２３）と、缶の上方開口部（１４）の上に画定された、筒状本体（１０）の周囲側壁（１１）の一部分に着座される上方縁部（２５）を提示する周囲壁（２４）と、径方向に外向きに向けられた凹状円弧の形態の断面を有し、その中で、蓋（２２）が着座部（１５）に着座される際に円周リブ（１６）の内側縁部（１６ｂ）に嵌るように構成された円周凹部（２６）とを単一部片として備える蓋（２２）によって画定されることを特徴とする、請求項１に記載の閉鎖装置。
【請求項１１】
円周リブ（１６）の内側縁部（１６ｂ）が、円形凸状円弧に構成され、円周凹部（２６）の断面は円形凹状円弧によって画定されることを特徴とする、請求項１０に記載の閉鎖装置。
【請求項１２】
円周リブ（１６）が、概ね、平坦な「Ｕ」と「Ｖ」の輪郭のいずれか一方の形態の断面を提示し、円周リブ（１６）の内側縁部（１６ｂ）が、「Ｕ」の輪郭の基部分と「Ｖ」の輪郭の頂部とのうちの一方に形成されていることを特徴とする、請求項１０に記載の閉鎖装置。
【請求項１３】
円周リブ（１６）が上方環状面（１６ａ）を有し、蓋（２２）の周囲壁（２４）が、円周リブ（１６）の上方面（１６ａ）に対して着座される径方向環状部分（２４ａ）、ならびに、円周リブ（１６）とその上方縁部（１２）との間に画定された周囲側壁（１１）に対して着座される軸方向上方部分（２４ｂ）を有することを特徴とする、請求項１０に記載の閉鎖装置。
【請求項１４】
筒状本体（１０）の円周リブ（１６）と蓋（２２）の円周凹部（２６）との間に取り付けられる、弾性変形可能な材料の密封要素（５０）を備えることを特徴とする、請求項１０に記載の閉鎖装置。
【請求項１５】
密閉要素（５０）が、蓋（２２）の円周凹部（２６）の径方向拡張部の少なくとも一部を覆う環状ガスケットの形態であることを特徴とする、請求項１０に記載の閉鎖装置。
【請求項１６】
蓋（２２）の周囲壁（２４）の上方縁部（１２）が、缶の筒状本体（１０）の周囲側壁（１１）の上方縁部（１２）に着座される外部筒状リブ（３３）を組み込むことを特徴とする、請求項１３に記載の閉鎖装置。
【請求項１７】
筒状本体（１０）の周囲側壁（１１）の上方縁部（１２）が、蓋（２２）の周囲壁（２４）の外部筒状リブ（３３）が着座される筒状リブ（１７）を、外部から組み込むことを特徴とする、請求項１６に記載の閉鎖装置。
【請求項１８】
筒状本体（１０）の周囲側壁（１１）の上方縁部（１２）が筒状リブ（１７）を外部から組み込み、蓋（２２）の周囲壁（２４）の上方縁部（１２）が、筒状本体（１０）のまわりに、その周囲側壁（１１）の筒状リブ（１７）の直ぐ下でしっかりと着座され、蓋（２２）が最初に開けられる際に特定の力を受けるとき手で壊されるブリッジ（２８ｂ）によって、蓋（２２）の周囲壁（２４）の上方縁部（１２）に上方に結合されている下方スカート（２８ａ）を備えるシール（２８）の拡張部を組み込むことを特徴とする、請求項１３に記載の閉鎖装置。
【請求項１９】
筒状本体（１０）の周囲側壁（１１）の上方壁（１２）が、周囲側壁（１１）の上方縁部（１２）に外部から組み込まれる、円周リブ（１６）を越えて下向きに拡張して円周リブ（１６）を形成する凹部を覆う筒状リブ（１７）を画定するように外向き、下向き、および内向きに屈曲されることを特徴とする、請求項１に記載の閉鎖装置。
【請求項２０】
筒状リブ（１７）が、内向きおよび上向きに屈曲され、円周リブ（１６）の下で、筒状本体（１０）の周囲側壁（１１）に隣接して配設された下方自由端部分（１７ａ）を提示することを特徴とする、請求項１９に記載の閉鎖装置。
【請求項２１】
筒状リブ（１７）の下方自由端部分（１７ａ）が、上向きに屈曲された、筒状本体（１０）の周囲側壁（１１）に対して側方から着座される端域（１７ｂ）を提示することを特徴とする、請求項１９に記載の閉鎖装置。
【請求項２２】
筒状リブ（１７）が缶の軸線方向に楕円形であることを特徴とする、請求項１９に記載の閉鎖装置。
【請求項２３】
筒状リブ（１７）が、円周リブ（１６）が組み込まれる周囲側壁（１１）の区域に、筒状本体（１０）の周囲側壁（１１）と実質的に平行な中央拡張部（１７ｃ）を提示することを特徴とする、請求項１９に記載の閉鎖装置。
【発明の詳細な説明】
【技術分野】
【０００１】
本発明は、金属シートで得られる缶に適用される閉鎖装置であって、円形または多角形の外形を備えた周囲側壁を提示する、底壁を貼付しまたは組み込んでいる下方端部分と、缶の内部にアクセスするための開口部を画定する構造的環状部を内側に担持する上方端部分とを有する筒状本体、ならびに、金属シートに打ち抜かれ、またはプラスチック材料で成形された取り外し可能で再閉鎖可能な蓋の形態の、あるいは、構造的環状部に周囲を接着され、缶が最初に開けられる際に決定的に取り外される一般的に金属フィルムの形態である密閉要素が着座され、保持されている着座部を備えるタイプの閉鎖装置に関する。
【背景技術】
【０００２】
特定の食料品、塗料などの、徐々に消費し、まとめて包装される特定の製品は密閉式に保管するべきであり、缶の密閉性を保証し、残っている缶の中身を保護するために、保管された製品を徐々に消費する間に必要に応じて何回でも再閉鎖できるように、蓋が再閉鎖可能なタイプであることが求められる。
【０００３】
圧入式の蓋を備えた従来技術の缶がよく知られているが、そこでは缶の筒状本体の周囲側壁の上方縁部に外部から二重に縫い合わされた構造的環状部に蓋が圧入される。構造的環状部に画定された着座部に蓋が嵌めこまれるとき、密閉性が保証される。場合によっては、特に食品に関する場合、缶が最初に開けられるまで、先細部が明確に分かる密閉シールを提供する必要があり、これは通常薄いアルミニウムシートもしくは他の適切な材料によって画定され、また周囲側壁の上方縁部に、構造的環状部と共に二重に縫い合わされる。
【０００４】
ブラジル特許第ＰＩ０２０３９５０−８号明細書および第ＰＩ０３０３８３３−５号明細書に記載されているものなどの他の知られている解決方法では、圧入式の蓋は、プラスチック材料で構成され、構造的環状部に画定された着座部に取り外し可能に着座され保持される密閉部分と、缶の筒状本体の上方端部分のまわりに設けられた手で壊すことのできるシールとを備える。
【０００５】
他の知られている解決方法には、缶が最初に開けられる際に手で引き離される、通常アルミニウム箔のシールの周縁部分を着座させ、接着するための環状面を上方面が画定する、構造的環状部を設けることがある。この構成的解決方法では、シールが取り外された後に缶の中身を保護するために、筒状本体の周囲側壁の上方端部分の上に取り外し可能に嵌められるプラスチック製の覆蓋もしくはカバーが設けられる。
【０００６】
上述の３つのタイプの閉鎖装置のいずれでも、缶の筒状本体の周囲側壁の上方縁部に外部から二重に縫い合わせなければならない、構造的環状部を画定する部片を、それが提示する様々な形状とは関係なく設ける必要がある。構造的環状部を設けることは、缶の筒状本体の上方端部分を開けるのに必要な構造強度を与えるために、また金属蓋、プラスチック蓋もしくはシールの形態の密閉要素の着座用の着座部を画定するためにも必須である。
【０００７】
しかし、知られている従来技術の構成では、構造的環状部は筒状本体に関して分離した部片として画定されていて、その形成のために各々の量のブリキ板を消費し、缶の周囲側壁の上方縁部にしっかりと貼付されるように二重に縫い合わされることを必要とする。追加のさらなる原材料を必要とする上に、この知られている構造的環状部を二重に縫い合わす作業は、缶の製造コストを縮小する可能性を大幅に制限する。
【発明の開示】
【発明が解決しようとする課題】
【０００８】
上述の、また構造的環状部を設けるための原材料および製造コストに関係する不都合によって、本発明の目的は、本明細書において検討するタイプの缶用の閉鎖装置であって、缶の筒状本体の構造的環状部とは異なる金属シートとしての構造的環状部を設けることだけでなく、構造的環状部を、缶の筒状本体の周囲側壁の上方縁部に二重に縫い合わす作業をも解消し、それでいて缶の構造的強度および密閉要素用の着座部の形成の特徴を損ねることのない閉鎖装置を提供することにある。
【０００９】
本発明のさらなる目的は、上述の閉鎖装置であって、構造的環状部が、缶の内部へのアクセスを与える開口部を密閉する異なる要素が着座されることになる着座部用に異なるパターンを画定するように形状化されるのを可能にする閉鎖装置を提供することにある。
【課題を解決するための手段】
【００１０】
本閉鎖装置は、下方向に閉鎖され円形または多角形の断面を有する筒状本体を提示するタイプの缶に適用され、上方縁部が設けられた周囲側壁、ならびに、筒状本体に関して内部にあり、缶の上方開口部と、密閉要素を着座させるための着座部とを画定するように、周囲側壁に密閉して結合されている構造的環状部を備える。
【００１１】
本発明によれば、構造的環状部は、周囲側壁の上方端部に対して軸方向に後ろに離隔された周囲側壁の凹部によって形成され、筒状本体内に径方向に突出した円周リブによって画定される。
【００１２】
本発明によって提案される構成は、缶の構造的環状部が、上記缶の周囲側壁の変形によって画定されるのを可能にして、従来技術の二重に縫い合わされる構造的環状部を打ち抜くのに使用される材料だけでなく、上記環状部を缶の筒状本体の構造に二重に縫い合わす作業も省く。
【００１３】
新たな構造的環状部を画定する円周リブは、金属シートで打ち抜かれ、またはプラスチック材料で成形された圧入式の蓋、あるいはは上記円周リブの環状上方面の上に周囲方向に取り外し可能に接着された、先細部が明確に分かるシールの形態を取ることができる密閉要素の着座用の着座部を画定するように構成することができる。
【００１４】
本発明の可能な実施形態の例として掲げている同封の図面を参照して、本発明を以下に記述する。
【発明を実施するための最良の形態】
【００１５】
添付図面で示すように、本発明の閉鎖装置は、一般的にブリキ板から作られる、円形または多角形の断面を備えた筒状本体１０を提示する、底壁（図示せず）によって下方に閉鎖される缶であって、上方縁部１２が設けられた周囲側壁１１と、筒状本体１０の内部にある、缶の上方開口部１４を画定するように周囲側壁１１に密閉接合された構造的環状部１３、ならびに、上述のように異なる構成を提示することができる密閉要素２０が着座されることになる着座部１５を備える缶に適用される。
【００１６】
添付図面のうち図１から図４は、閉鎖装置であって、密閉要素２０が、一般的に不浸透性材料の、好ましくは金属化されている、円周リブ１６の上方面１６ａに取り外し可能に接着されるフィルム２１よって画定される閉鎖装置に関する。この密閉要素２０は、缶の内部へのアクセスを与えるように缶が最初に開けられる際に、使用者によってその取り付け位置から決定的に取り外されるような形で構成される。このタイプの構成では、円周リブ１６はその上方面１６ａを通常平面に、缶の軸線に対して垂直に提示して、フィルム２１の周縁部分の円周リブ１６への密封の安定した接着を容易にする。
【００１７】
図１および図３に示す実施形態では、円周リブ１６は概ね水平方向の「Ｕ」の形状の断面を提示しており、その側方脚部は相互と平行であり、基部域は円周リブ１６の内側縁部１６ｂを画定し、その形状は密閉要素２０に使用された構成に応じて異なる特徴を有することができる。図２および図４では、円周リブ１６は、概ね水平方向の「Ｖ」の形状の断面を提示しており、それは円周リブ１６の内側縁部１６ａを画定する丸みの付いた頂部を備え、側方脚部であって、円周リブ１６の上方面１６ａを画定し、密閉要素２０が缶を密閉するフィルム２１の形態を取るとき、好ましくは缶の軸線に対して垂直に配設される側方脚部を有する。
【００１８】
円周リブ１６の上に取り外し可能に接着されたフィルム２１の形態の密閉要素２０を使用する際、閉鎖装置は、覆蓋３０であって、円周リブ１６のレベルよりも高いレベルで、筒状本体１０の内部に収容される中央陥凹部分３１を有する単一部片で形成され、また、概ね反転された「Ｕ」の形態の断面を備える、缶の筒状本体１０の周囲側壁１１の上方縁部１２の上にしっかりと嵌め合わされるように寸法決めされている周囲部分３２によって形成された覆蓋３０をさらに備える。
【００１９】
図１から図４に示す実施形態では、缶の周囲側壁１１の上方縁部１２は外向き、下向き、および内向きに屈曲されて、上記上方縁部１２に外部から組み込まれる筒状リブ１７を画定して、上方縁部１２の構造的強化に協力し、缶のこの区域の周囲突出物を画定し、覆蓋３０の周囲部分３２用の着座手段としての働きをする上に、缶の着座部１５に嵌め合わすことのできる他のタイプの密閉要素の周囲部分のための軸方向保持停止部としての働きをする。図１から図７に示すように、缶の周囲側壁１１の上方縁部１２の筒状リブ１７は、円形または実質的に円形の断面を提示することができる。
【００２０】
覆蓋３０の缶の上方縁部１２への軸方向の保持は、上記覆蓋３０の周囲部分３２が径方向内部の壁３２ａであって、円周リブ１６と上方縁部１２との間に画定される、缶の周囲側壁１１の一部分の内側面に対して入れ子式に、比較的きつく着座されるように寸法決めされ、構成される壁３２ａを有するという事実によって得られる。上記周囲部分３２は、缶の上記上方縁部１２に着座される基部壁３２ｂと、筒状リブ１７に対して着座されてそれを取り囲む径方向外部壁３２ｃとをさらに有する。覆蓋３０の周囲部分３２の径方向外部壁３２ｃは、一般にプラスチック材料などで成形される覆蓋３０の周縁部分により充分な構造強度を与える外部筒状湾曲部３３を組み込む下方自由端縁部を提示する。
【００２１】
図５ａ、図６、および図７は図１から図４に示すものと類似の缶の構成であるが、円周リブ１６の上に接着されるフィルム２１の使用を省く、他のタイプの密閉要素２０を使用する構成を示している。本発明を実施するこのやり方では、円周リブ１６は、好ましくは凸状円弧を画定するように構成されたその内側縁部１６ｂを提示し、密閉要素２０は、蓋２２によって画定されるが、蓋２２は、金属箔またはプラスチック材料の単一部片で、基部壁２３、ならびに筒状本体１０の周囲側壁１１の一部分に着座される、缶の上方開口部１４の上に画定される上方縁部２５と、円周凹部２６であって、その断面が径方向外向きに好ましくは円形展開に向けられた凹状円弧の形態であり、また蓋２２を着座部１５に着座させる際に、円周リブ１６の内側縁部１６ｂを、その中に嵌め合わされるように構成される円周凹部２６とを提示する周囲壁２４を備える蓋２２によって画定される。また圧入式蓋２２のこの構成では、円周リブ１６は、蓋２２を着座させ、保持する着座部を画定する任意の適切な形態の断面を提示することができる。図示する実施形態では、円周リブ１６は概ね水平方向の「Ｕ」または「Ｖ」の形態の断面を提示し、円周リブ１６の内側縁部１６ｂは、「Ｕ」形状の輪郭の基部分または「Ｖ」形状の輪郭の頂部によって形成される。
【００２２】
この構成では、蓋２２が着座部１５に嵌め合わされると、円周リブ１６の内側縁部１６ｂが、缶の少なくとも１つの周囲側壁１１と蓋２２の周囲壁との弾性変形によって、蓋２２の周囲壁の円周凹部２６の内部に嵌め合わされて、蓋２２を着座部１５に密閉する嵌め合わせだけでなく、蓋２２の缶の筒状本体１０への軸方向の効率的で確実な保持を得ることを可能にする。
【００２３】
缶の筒状本体１０が通常、金属箔の長手方向縁部を溶接して重ね合わせることによって得られる長手方向の縫い合わせが設けられた金属箔から形成されることを考慮すると、縫い合わせ域の円周リブ１６と円周凹部２６との適切な縫い合わせを得るという問題がある。
【００２４】
したがって、缶の筒状本体１０を形成する金属箔の縮小された厚みをも考慮して、蓋２２と筒状本体１０の円周リブ１６との間の区域に、缶詰製品と適合する弾性変形可能な材料で作られた密閉要素５０を設けて、筒状本体１０の長手方向に縫い合わせされた区域で円周リブ１６の表面の変化に対応することが望ましい。
【００２５】
図５ｂで示すように、可能な構成として、弾性変形可能な密閉要素５０は、蓋２２の円周凹部２６の内側表面の径方向拡張部の少なくとも一部を覆う環状ガスケットの形態を取り、上記ガスケットは、プラスチゾルなどの樹脂性もしくはそうではない任意の適切な材料で形成することができる。密閉要素５０は、円周リブ１６の内側縁部１６ｂだけを、またさらに円周リブ１６の上方面１６ａをも、また蓋２２の周囲壁２４の特定拡張部さえも取り囲むように寸法決めすることができる。
【００２６】
プラスチック材料で構成された蓋２２の場合、図６で示すように、蓋のプラスチック材料の縫い合わせと、保管される製品との特徴によって、密閉要素５０を設けることが必要ない場合もある。
【００２７】
図５ａ、図６、および図７に示すように、蓋２２の周囲壁２４を、円周リブ１６の上方面１６ａに着座される環状径方向部分２４ａ、ならびに、缶の周囲側壁１１の一部分の内側面に対して着座される軸方向の上方部分２４ｂであって円周リブ１６とその上方縁部１２との間に画定される上方部分２４ｂを提示するように構成することができる。この構成によって、蓋２２と缶の筒状本体１０の着座部１５の区域との間にさらにより効果的な密閉を得ることが可能になる。
【００２８】
図５ａに示す実施形態では、蓋２２の周囲壁１１の上方縁部２５は、蓋２２を閉鎖する際に、蓋２２の周囲壁１１の円周凹部２６の内部に、円周リブ１６の内側縁部を嵌め合わすことによって、缶の筒状本体１０の周囲側壁１１の上方縁部１２に着座される外部筒状リブ２７を組み込む。
【００２９】
図３から図７に示す構成では、蓋２２の外部筒状リブ２７は、筒状本体１０の周囲側壁１１の筒状リブ１７に着座される。
【００３０】
図６に示すように、蓋２２の周囲壁１１の上方縁部２５は、筒状本体１０のまわりに、その周囲側壁１１の筒状リブ１７の直ぐ下で比較的しっかりと着座されるスカート２８ａを備えるシール２８を組み込むことができ、上記下方スカート２８ａは、蓋２２が最初に開けられる際に特定の力を受けるとき手で壊されるブリッジ２８ｂによって、蓋２４の周囲壁１１の上方縁部２５に上方に結合されている。
【００３１】
シール２８の下方スカート２８ａは、筒状リブ１７の下に位置決めされ、停止部として動作するが、これは、ブリッジ２８ｂの破壊およびシール２８の開放なしで蓋２２が外れるのを防止することに留意されたい。
【００３２】
図７に示すように、缶の筒状本体１０の残りの部分の直径よりも実質的に下方の直径を提示する、筒状本体１０の周囲側壁１１の区域に円周リブ１６を設けて、蓋２２のシール２８を、筒状本体１０の残りの部分の軸方向突出部の内部に含まれたままにすることができる。
【００３３】
図１から図７に示す実施形態では、筒状リブ１７は、円周リブ１６が設けられているレベルよりも上で維持されるように形状化され、寸法決めされて、円周リブ１６を形成して周囲側壁１１に画定された円周凹部が、缶の側方の視覚化で可視となるのを可能にする。
【００３４】
缶の仕上げ作業に関する問題の他に、図１から図７に示す実施形態では、筒状リブ１７の形状は、筒状本体１０の開放された上方部分での缶の構造的強化の効果を、円周リブ１６と上方縁部１２との間に画定された拡張部に限定する。
【００３５】
図８は、缶の筒状本体１０の構成的代替形態を示し、これによると筒状リブ１７は缶に対する審美的な仕上げ要素として、また缶の筒状本体１０の開放された上方部分に対する構造的強化要素としての働きをする。
【００３６】
本改良によると、筒状リブ１７は連続的に外部から周囲側壁１１の上方縁部１２に組み込まれるが、円周リブ１６を越えて下向きに延びて、上記周囲側壁１１の円周リブ１６を形成する凹部を覆う。
【００３７】
ここに図示するように、筒状リブ１７は、その下方自由端部分１７ａが内向きで上向きに湾曲され、筒状本体１０の周囲側壁１１に隣接して、円周リブ１６の下に配設されるように構成される。
【００３８】
図８に例証する構成では、筒状リブ１７の下方自由端部分１７ａは、端域１７ｂを提示するが、これは上向きに屈曲し、缶の筒状本体１０の周囲側壁１１に対して側方から着座される。
【００３９】
本明細書において提案している構成は、筒状リブ１７が、円周リブ１６を形成する凹部を完全に覆うことを可能にして、缶により一体性のある外観を与え、より大きな軸線方向の拡がりを有する構造的強化を生み出す。
【００４０】
筒状リブ１７は一般に、缶の軸線方向の楕円形状で構成され、円周リブ１６が組み込まれている区域に、筒状本体１０の周囲側壁１１と実質的に平行な中央拡張部１７ｃを提示し、それによって筒状リブ１７は、缶の上方端部分を取り囲むある種のストラップの形態を取る。
【００４１】
以上には本発明のいくつかの実施形態についてしか述べず、示していないが、言うまでもなく、添付の請求項で規定する構成上の概念から逸脱せずに、諸要素の形態および構成に対する変更を行うことができる。
【図面の簡単な説明】
【００４２】
【図１】本発明の閉鎖装置を提示する、缶、密閉要素、および覆蓋によって形成されたアセンブリであって、密閉要素は円周リブに取り外し可能に接着されるフィルムの形態を取っているアセンブリの部分斜視分解図である。
【図２】図１と類似の部分斜視分解図であるが、閉鎖装置の円周リブの他の実施形態を示す。
【図３】密閉要素と覆蓋の両方が缶の筒状本体に取り付けられた状態の、図１に示すアセンブリの部分的直径方向断面図である。
【図４】図３と類似の図であるが、他の実施形態による円周リブを備えた閉鎖装置を示している。
【図５ａ】缶と取り付けられた状態の圧入式の蓋とから形成され、本発明の閉鎖装置を使用するアセンブリの部分的直径方向断面図である。
【図５ｂ】着座部と蓋との間に設けられる密閉用ガスケットに対する可能な構成的解決方法を示す、図５ａの拡大詳細図である。
【図６】図５ａと類似の部分的直径方向断面図であるが、本発明の閉鎖装置に使用される蓋に対する他の可能な構成を示す。
【図７】図６と類似の図であるが、上方域で直径が縮小された缶の上方部分に適用される閉鎖装置を示す。
【図８】他の実施形態に従って構成された缶の筒状本体の部分的直径方向断面図である。
【図１】
2008519737.tif 000003
【図２】
2008519737.tif 000004
【図３】
2008519737.tif 000005
【図４】
2008519737.tif 000006
【図５ａ】
2008519737.tif 000007
【図５ｂ】
2008519737.tif 000008
【図６】
2008519737.tif 000009
【図７】
2008519737.tif 000010
【図８】
2008519737.tif 000011
【国際調査報告】
2008519737.tif 000012
2008519737.tif 000013
2008519737.tif 000014
2008519737.tif 000015